(57)【要約】【課題】時刻が過去に補正されても履歴情報を正確に時系列に取得し、システム異常時などにおける解析を円滑に行う。【解決手段】時刻補正手段５によって時刻が現在より過去に補正された場合でも、それ以降の履歴は情報管理手段６からの指示によって別の制御履歴データとして記憶手段７に記憶され、さらに制御履歴データには時刻補正前までに記憶されている制御履歴データに続く連番が付与されることにより、制御履歴データに付加されている連番から日時情報に惑わされることなく実際の状態の変化順に履歴情報を取得することができ、システム異常時などにおける解析を円滑に行うことができる。【選択図】図１
2009144960.tif 000002
【特許請求の範囲】
【請求項１】
時刻を計時する計時手段と、前記計時手段で計時した時刻を補正する時刻補正手段と、室内機から受信した制御情報に時刻情報を付与した制御履歴データに、作成順に連番を付与し、一定期間を１データとして記憶する記憶手段と、前記時刻補正手段により時刻が過去に補正された場合、時刻補正以降の制御履歴データと、時刻補正前の制御履歴データとを分けて別の制御履歴データとして記憶するよう前記記憶装置に指示を出す情報管理手段とを備えた空気調和機のリモコン。
【請求項２】
前記時刻補正手段により補正が行われ、情報管理手段により同じ日付の制御履歴データができたことを知らせる表示手段を備えた請求項1に記載の空気調和機のリモコン。
【請求項３】
前記表示手段に、前記記憶装置にある制御履歴データを制御履歴データに付与されている連番順に制御履歴として表示させる請求項１または２に記載の空気調和機のリモコン。
【発明の詳細な説明】
【技術分野】
【０００１】
本発明は、空気調和機の異常時の解析に利用できるリモコンに関するものである。
【背景技術】
【０００２】
従来、この種のリモコンでは、例えば図３に記載されたワイヤードリモコンがあった。
【０００３】
図３において、室内機とワイヤードリモコンとの通信線１０１にて接続された室内機１０６をコントローラするワイヤードリモコン１０２は、室内機１０６から受信する制御情報に計時手段１０３が計時する時刻情報を付与した制御履歴データを、一定期間を１データとして記憶装置１０５に保存している（例えば、特許文献１参照）。
【特許文献１】特開平６−２４１５４４号公報
【発明の開示】
【発明が解決しようとする課題】
【０００４】
しかしながら、前記従来の構成では、時刻補正手段１０４にて時刻を過去に補正され場合、補正後の時刻によっては時刻補正前より以前に作成された制御履歴データに履歴情報が追加、あるいは上書きされてしまい、履歴情報を取得した場合、上書きによる実際の履歴の消去、もしくは制御履歴データの順序の入れ替わりにより、正確な時系列的履歴として取得できないという課題を有していた。
【０００５】
本発明は前記従来の課題を解決するもので、時刻が過去に補正されても制御履歴データを正確に時系列に取得し、システム異常時などにおける解析を円滑に行うことができるリモコンを提供することを目的とする。
【課題を解決するための手段】
【０００６】
前記従来の課題を解決するために、本発明のリモコンは、制御履歴データに作成順の連番を付与し、一定期間を１データとした制御履歴データを記憶させると共に、時刻が過去に補正された場合、時刻補正以降の制御履歴データと、時刻補正前の制御履歴データとを分けて別の制御履歴データとして記憶させるものである。
【０００７】
これによって、履歴情報を正確に時系列に取得し、システム異常時などにおける解析を円滑に行うことができる。
【発明の効果】
【０００８】
本発明のリモコンは、制御履歴データ作成時は制御履歴データに作成順に連番を付与し、時刻が過去に補正された場合、時刻補正以降の制御履歴データと、時刻補正前の制御履歴データとを分けて別の制御履歴データとして記憶させることで履歴情報を正確に時系列に取得することができ、システム異常時などにおけるシステム動作の解析を円滑に行うことができる。
【発明を実施するための最良の形態】
【０００９】
第１の発明は、時刻を計時する計時手段と、前記計時手段で計時した時刻を補正する時刻補正手段と、室内機から受信した制御情報に時刻情報を付与した制御履歴データに、作成順に連番を付与し、一定期間を１データとして記憶する記憶手段と、前記時刻補正手段により時刻が過去に補正された場合、時刻補正以降の制御履歴データと、時刻補正前の制御履歴データとを分けて別の制御履歴データとして記憶するよう前記記憶装置に指示を出す情報管理手段を持つもので、この構成をなすことにより、時刻が過去に補正されても制
御履歴データに付与された連番により履歴情報を正確に時系列に取得することができ、システム異常時などにおける解析を円滑に行うことができる。
【００１０】
第２の発明は、特に、第1の発明の時刻補正手段により補正が行われ、情報管理手段により同じ日付の制御履歴データができたことを知らせる表示手段を設けることにより、時刻補正による制御履歴データ数の増加、記憶手段使用量の増加による不測の記憶手段の空き容量不足を未然に防ぐようシステム管理者に注意喚起を促し、履歴情報取得不能状態を回避することができる。
【００１１】
第３の発明は、特に第１または２の発明の記憶装置にある制御履歴データを制御履歴データに付与されている連番順に履歴情報として表示させる表示手段を持つもので、この構成をなすことにより特別な装置を用いて記憶装置から情報を取得することなく、円滑に履歴情報によるシステム状態の解析を行うことができる。
【００１２】
以下、本発明の実施の形態について、図面を参照しながら説明する。尚、本実施の形態では、従来技術との対比上ワイヤードリモコンを用いて説明するが、双方向のワイヤレスリモコンにおいても通信線がないだけで基本動作は同じであり、この実施の形態によって本発明が限定されるものではない。
【００１３】
（実施の形態１）
図１は、本発明の第１の実施の形態における空気調和機のリモコンのブロック図を示すものである。
【００１４】
図１において、ワイヤードリモコン１は、計時手段４、時刻補正手段５、情報管理手段６、記憶手段７から構成されている。尚、本実施の形態および以降の実施の形態では、従来技術との対比上ワイヤードリモコンを用いて説明するが、双方向のワイヤレスリモコンにおいても通信線がないだけで、基本動作は同様である。
【００１５】
計時手段４は時刻を計時し、時刻補正手段５は計時手段４で計時した時刻を補正する。記憶装置７は、室内機とワイヤードリモコンとの通信線２上の室内機３（３Ａ、・・・、３ｎ）から受信した制御情報に計時手段４で計時した時刻情報を付与した制御履歴データに作成順に連番を付与し、一定期間を１データとして記憶する。
【００１６】
情報管理手段６は、時刻補正手段５により時刻が過去に補正された場合、時刻補正以降の制御履歴データと、時刻補正前の制御履歴データとを分けて別の制御履歴データとして記憶するよう記憶手段７に指示を出す。
【００１７】
以上のように構成されたワイヤードリモコン１は、時刻補正手段５によって時刻が現在より過去に補正された場合でも、それ以降の履歴は情報管理手段６からの指示によって別データとして記憶手段７に記憶され、さらにデータには時刻補正前までに記憶されている制御履歴データに続く連番が付与される。
【００１８】
例えば、１日１データとして記憶装置７に制御履歴データが記憶されるとし、時刻補正手段５によって２００４年１１月１９日１７時から同日１６時に時刻が補正された場合、時刻補正前の制御履歴データには「２００４１１１９−１」が記憶されており、時刻補正後の制御履歴データには「２００４１１１９−２」で記憶される。従って、同日付同時刻の履歴情報は２つ存在するが、制御履歴データに付与されている連番から日時情報に惑わされることなく実際の状態の変化順に履歴情報を取得することができ、システム異常時などにおける解析を円滑に行うことができる。
【００１９】
（実施の形態２）
図２は、本発明の第２の形態における空気調和機のリモコンのブロック図を示すものである。図２において、実施の形態１で説明した部分については同じ符号を用い説明を省略する。表示手段８は、情報管理手段６からの指示により記憶手段７に同じ日付の制御履歴データができたことを表示させる。
【００２０】
以上のように構成されたワイヤードリモコン１は、時刻補正により同日の制御履歴データが複数できている状態にあることを表示手段８に表示することで、時刻補正による制御履歴データ数の増加、記憶手段使用量の増加による不測の記憶手段の空き容量不足を未然に防ぐようシステム管理者に注意喚起を促し、履歴情報取得不能状態を回避することができる。
【００２１】
（実施の形態３）
本発明の第３の実施の形態では、前記実施の形態２の図２において、ワイヤードリモコン１は、記憶手段７にある制御履歴データを制御履歴データに付与されている連番順に履歴情報として表示手段８に表示させるものである。
【００２２】
これによって、特別な装置を用いて記憶手段７から情報を取得することなく、円滑に履歴情報によるシステム状態の解析を行うことができる。
【産業上の利用可能性】
【００２３】
以上のように、本発明にかかるリモコンは、空気調和機の制御情報履歴を制御履歴データとして作成順に連番を付与し、一定期間を１データとして履歴情報を記憶させると共に、時刻が過去に補正された場合、時刻補正以降の制御履歴データと、時刻補正前の制御履歴データとを分けて別の制御履歴データとして記憶させることで、履歴情報を正確に時系列に取得し、システム異常時などにおける解析を円滑に行うことを可能とするので、空気調和機以外にも、本体と双方向通信を行なうリモコンを備えた各種電気機器に広く適用することができる。
【図面の簡単な説明】
【００２４】
【図１】本発明の実施の形態１における空気調和機のリモコンのブロック図
【図２】本発明の実施の形態２および３における空気調和機のリモコンのブロック図
【図３】従来の空気調和機のリモコンのブロック図
【符号の説明】
【００２５】
１  ワイヤードリモコン
２  室内機とワイヤードリモコンとの通信線
３Ａ、３ｎ  室内機
４  計時手段
５  時刻補正手段
６  情報管理手段
７  記憶手段
８  表示手段
【図１】
2009144960.tif 000003
【図２】
2009144960.tif 000004
【図３】
2009144960.tif 000005